(57)【要約】【課題】  省スペースでデザイン的に踏板の位置が正面側から明確に見えず、キャビネット外観が良好となり、しかも踏板の敷設や高さ調整が簡便となり、材料費が少なく、組立て工数も少ない踏み台付きのキャビネットを提供することにある。【解決手段】  引出し１ａ，１ｂ付きのキャビネット本体２の引出し１ａの側端板３の上面に略コ字状に屈曲する水平片４と垂下片５とからなる踏み台本体６を設け、この踏み台本体６を引出し１の不使用時に垂下片５ａ，５ｂを上方に折畳み水平状態にして収納し、この踏み台本体６を使用時には踏み台７の垂下片５ａ，５ｂの下端面が床面８に当接するように屈曲して形成された踏み台７を設けたものである。【選択図】図２
2005124853.tif 000002
【特許請求の範囲】
【請求項１】
引出し付きのキャビネット本体の引出しの側端板の上面に略コ字状に屈曲する水平片と垂下片とからなる踏み台本体を設け、該踏み台本体を引出し不使用時に垂下片を上方に折畳み水平状態にして収納し、該踏み台本体を使用時には踏み台本体の垂下片の下端面が床面に当接するように屈曲して形成される踏み台を設けたことを特徴とする踏み台付きのキャビネット。
【請求項２】
上記引出し付きのキャビネット本体の引出しが複数個設けられ、引出箱の側端板の上面に略コ字状に屈曲する水平片と垂下片とからなる踏み台本体が複数個設けられていることを特徴とする請求項１記載の踏み台付きのキャビネット。
【請求項３】
上記引出し付きのキャビネット本体の引出しの側端板の上面に略コ字状に屈曲する水平片と垂下片とからなる踏み台本体の前面に設けた被引掛け具と引出しの把手部に設けられた引掛け具との着脱機構により、踏み台として使用する場合には被引掛け具と引掛け具とが係止され、踏み台として使用されない場合には引出箱のみを引き出すようにしてなる請求項１又は請求項２記載に記載の踏み台付きのキャビネット。
【発明の詳細な説明】
【技術分野】
【０００１】
本発明は、洗面化粧台や鏡台等のキャビネット本体に踏み台機能を設けた踏み台付きのキャビネットに関するものである。
【背景技術】
【０００２】
従来から、図１１に示したように、三方に鏡面を有する鏡面部２０、照明部２１、スイッチ部２２を有する上部キャビネット２３と内部に棚板が設けられている観音開きの開き戸２４を前面に設けた下部キャビネット２５からなり、この下部キャビネット２５上に洗面台２６と水栓２７を載置固着して取付けた洗面化粧台２８が汎用されていた。しかしながら、このような洗面化粧台２８では、引出しや踏み台を設けたものは見当たらなかった。
【０００３】
また、特開平１０−１４６２４４号公報（特許文献１）に示される踏台構造に開示されているように、脚を有する踏板と、この踏板を出し入れ可能に収め入れる収納部とを備え、この収納部内に一部を残すように引き出される踏板が、この収納部と脚とによって支えられる構成がある。
【０００４】
このようにすることで、脚立あるいは踏台を逐一持ち運びすることなく、収納部空間上部の物の出し入れなどをできるようにしたものである。
【０００５】
また、特開平９−１６４０３２号公報（特許文献２）に示されるフロアキャビネットに開示されているように、床上に設置されるフロアキャビネットにおいて、踏み台収納部が設けられ、踏み台収納部内に踏み台が出し入れ可能に収納され、踏み台収納部内から踏み台を引き出すようにしてフロアキャビネットの前面に踏み台が形成されるようにしたものがある。
【０００６】
このようにすることで、踏み台収納部内から踏み台を引き出すことによりほとんど手間をかけることがなく踏み台が形成されるものであります。
【０００７】
しかしながら、上記の特許文献１に記載の踏台構造では、キャビネット本体の収納部を設け、この収納部内に脚を有する踏板を出し入れ可能にし、この収納部内に一部を残すように引き出される踏板が、この収納部と脚とによって支えられるものであり、特許文献２に記載のフロアキャビネットでは、床上に設置されるフロアキャビネットにおいて、踏み台収納部が設けられ、この踏み台収納部内にコ字状の踏み台が出し入れ可能に収納されたものであります。
【０００８】
これらの特許文献１、２の踏台構造及びフロアキャビネットでは、キャビネット本体の引出しとは別に正面側に踏板の収納部が必要となり、デザイン的に踏板の位置が明確となるので外観が悪くなり、しかも高さ調整をするときには複数の収納部が必要となり、これらの収納部と踏板の材料費や組立て工数もかかるものである。
【特許文献１】特開平１０−１４６２４４号公報
【特許文献２】特開平０９−１６４０３２号公報
【発明の開示】
【発明が解決しようとする課題】
【０００９】
本願発明は、上記背景技術に鑑みて発明されたものであり、その課題は、キャビネット本体の正面デザインは、引出しの前面板が露出され、引出しの側端板の上面に設けられた屈曲自在の踏み台を設けて、該踏み台本体を引出し不使用時に垂下片を折畳み水平状態にして収納し、該踏み台本体を使用時には踏み台の垂下片の下端面が床面に当接するように屈曲して形成されるようにし、キャビネット本体の引出しとは別に正面側に踏板の収納部を設けることもないので、省スペースでデザイン的に踏板の位置が正面側から明確に見えず、キャビネット外観が良好となり、しかも踏板の敷設や高さ調整が簡便となり、材料費が少なく、組立て工数も少ない踏み台付きのキャビネットを提供することにある。
【課題を解決するための手段】
【００１０】
上記課題を解決するために、本願発明の踏み台付きのキャビネットは、引出し付きのキャビネット本体の引出しの側端板の上面に略コ字状に屈曲する水平片と垂下片とからなる踏み台本体を設け、該踏み台本体を引出し不使用時に垂下片を折畳み水平状態にして収納し、該踏み台本体を使用時には踏み台の垂下片の下端面が床面に当接するように屈曲して形成される踏み台を設けたものである。
【発明の効果】
【００１１】
本願発明の踏み台付きのキャビネットにおいては、デザイン的に踏板の位置が正面側から明確に見えず、キャビネット外観が良好となり、しかも省スペースで踏板の敷設や高さ調整が簡便となり、材料費が少なく、組立て工数も少なくすることができるものである。
【発明を実施するための最良の形態】
【００１２】
図１乃至図１０は、本願発明の請求項１〜３全てに対応した実施形態である踏み台付きのキャビネットを示している。
【００１３】
この一実施形態である踏み台付きのキャビネットＡは、図１乃至図４に示す如く、引出し１ａ，１ｂ付きのキャビネット本体２の引出し１ａの側端板３の上面に略コ字状に屈曲する水平片４と垂下片５とからなる踏み台本体６を設け、この踏み台本体６を引出し１の不使用時に垂下片５ａ，５ｂを上方に折畳み水平状態にして収納し、この踏み台本体６を使用時には踏み台本体６の垂下片５ａ，５ｂの下端面が床面８に当接するように屈曲して形成された踏み台７を設けたものである。
【００１４】
又、図５及び図６に示したように、引出し１ａ，１ｂ付きのキャビネット本体２の引出し１ａ，１ｂ、１ｃ・・が複数個設けられ、引出し１ａ，１ｂ、１ｃ・・の側端板３の上面に略コ字状に屈曲する水平片４と垂下片５ａ，５ｂとからなる踏み台本体６が各引出し１ａ，１ｂ、１ｃ・・の上に複数個設けられている。
【００１５】
さらに、図７乃至図１０に示したように、引出し１ａ，１ｂ付きのキャビネット本体の引出し１ａ，１ｂの側端板３の上面に略コ字状に屈曲する水平片４と垂下片５ａ，５ｂとからなる踏み台本体６の前面に設けた被引掛け具９と引出し１ａ，１ｂの把手部１０に設けられた引掛け具１１との着脱機構１２により、踏み台７として使用する場合には被引掛け具９と引掛け具１１とが係止され、踏み台７として使用されない場合には引出し１ａ，１ｂのみを引き出すようにしたものである。
以下に、本発明の実施形態の踏み台付きのキャビネットを詳細に説明する。
【００１６】
図１乃至図４に示したような第一の実施形態である踏み台付きのキャビネットＡにおいて、箱状の引出し１ａ，１ｂ付きのキャビネット本体２の引出し１ａの側端板３の上面に両端が略コ字状に屈曲する水平片４と垂下片５とからなる踏み台本体６を設けたものを前後にスライド自在に載置されたものである。
【００１７】
このとき、この踏み台７は、下段の引出し１ａの不使用時に垂下片５ａ，５ｂを上方に折畳み水平状態にして踏み台本体６を収納し、使用時には踏み台７の垂下片５ａ，５ｂの下端面が床面８に当接するように屈曲して形成して踏み台７として用いるものである。
【００１８】
この踏み台７は、踏み台本体６の略コ字状に屈曲する水平片４と垂下片５とをＬ字型金具１３を蝶番としてビス、釘や接着剤等で固着して屈曲自在とし、踏み台７の高さ方向の省スペースを図るものである。
【００１９】
尚、踏み台７は、引出し１ａのみに設けても良く、二段目の引出し１ｂのみに設けても良く、引出し１ａ，１ｂ，１ｃ・・の全段に設けても良いものである。
【００２０】
さらに、図５及び図６に示したように異なる実施形態としての踏み台付きのキャビネットＢは、引出し１ａ，１ｂ，１ｃ・・付きのキャビネット本体２の引出し１ａ，１ｂ、１ｃ・・が複数個設けられ、引出し１ａ，１ｂ、１ｃ・・の側端板３の上面に略コ字状に屈曲する水平片４と垂下片５ａ，５ｂとからなる踏み台本体６が各引出し１ａ，１ｂ、１ｃ・・の上に複数個設けられているもので、二段めの引出し１ｂを引き出した状態を示すものである。
【００２１】
尚、キャビネット本体２の引出し１には、把手部１が設けられている。また、キャビネットＢの上には、洗面台１５と水栓１６が設けられている。
【００２２】
このとき、引出し１ａ，１ｂ，１ｃ・・の全段に踏み台７を設けることにより、踏み台７の高さが、下段になればなるほど低くて収納スペースが少なくて済むものである。また、キャビネット本体２の正面デザインは、引出し１ａ，１ｂの前面板１４が露出され、引出し１ａ，１ｂの側端板３の上面に設けられた屈曲自在の踏み台７を設けて、この踏み台本体６を引出し１の不使用時に垂下片５を折畳み水平状態にして収納し、この踏み台本体６を使用時には踏み台７の垂下片５の下端面が床面８に当接するように屈曲して形成されるようにし、キャビネット本体６の引出し１ａ，１ｂとは別に正面側に踏板の収納部を設けることもないので、デザイン的に踏板の位置が正面側から明確に見えず、キャビネット外観が良好となり、しかも踏板の敷設や省スペース高さの高さ調整が簡便となり、材料費が少なく、組立て工数も少ない踏み台付きのキャビネットである。
【００２３】
さらに、図７乃至図１０は、異なる踏み台付きのキャビネットＣの実施形態に係わり、踏み台７を引き出したり、引き出さかったりすることのできるようにした着脱機構を設けた図で以下に説明する。
【００２４】
引出し付きのキャビネットＣは、引出し１の側端板３の上面に略コ字状に屈曲する水平片４と垂下片５とからなる踏み台本体６の前面に設けたＬ字状の被引掛け具９を垂下して設け、この被引掛け具９に引出し１の前面板に設けられた孔状の把手部１０を介して、この把手部１０内にバネ付勢した回動自在の支点１７からなる引掛け具１１とからなる着脱機構１２によって、着脱自在となっている。したがって、引出し１の前面板の把手部１０内に設けられた回動自在の握り板１８を握ると押圧されて引掛け具１１が下方に回動することにより、踏み台本体６の前面に垂下して設けられたＬ字状の被引掛け具９から外れ、引出し１を引くことにより引出し１のみが前方に突出するようになり、引出し１の前面板の把手部１０の握り板１８を握らずに引出し１を引き出すと引出し１と踏み台７とが被引掛け具９と引掛け具１１とが係止された状態となり、前方に引き出される。そして、踏み台７として使用する際には、踏み台本体６の左右の垂下片５ａ，５ｂの下端面が床面８に当接するように屈曲してコ字状に形成して用いるものである。収納時には反対に踏み台本体６の左右の垂下片５ａ，５ｂを上方に折畳んだ後に、引出し１ａを押し込めることによれば良いので簡便である。
【００２５】
尚、上記着脱機構１２において、把手部１０内に指の押圧力で鉛直方向に上下スライド自在に設けた板体からなる引掛け具１１の下端を踏み台７の下端に固着したＬ字状の被引掛け具９開口（図示せず）に抜き差し可能にしてロックがＯＮ，ＯＦＦするように設けても良い。要するに、引掛け具１１と被引掛け具９とが着脱自在に設けられ、必要時に踏み台７を引出し１とともに引き出せば良いものである。
【００２６】
したがって、引出し１の前面板がキャビネット本体６の正面デザインとして露出され、従来のようにデザイン的に踏板の位置が正面側から明確に見えず、キャビネット外観が良好となるものである。このとき、引出し１の側端板３の上面に設けられた屈曲自在の踏み台７を設けて、この踏み台本体６を引出し不使用時に垂下片５を折畳み水平状態にして収納し、この踏み台本体６を使用時には踏み台７の垂下片５の下端面が床面８に当接するように屈曲して形成されるようにしているので、踏み台７を引出し１の上に簡便に設けることができる。しかも複数個の引出し１の上に複数個の踏み台７を敷設することができるので、踏み台７の省スペースの高さ調整が簡便となり、材料費が少なく、組立て工数も少ない踏み台付きのキャビネットを形成することができる。
【図面の簡単な説明】
【００２７】
【図１】本願発明の第一の実施形態である踏み台付きのキャビネットを示す要部の斜視図である。
【図２】上記踏み台付きのキャビネットの下段の引出しを正面側に引き出した状態を示す斜視図である。
【図３】上記踏み台付きのキャビネットの下段の引出しを引き出した状態で踏み台の垂下片を水平状態に折畳んだ状態を示す要部の斜視図である。
【図４】上記踏み台付きのキャビネットの下段の引出しを引き出した状態で踏み台の垂下片を垂直状態に折畳んで踏み台として使用する状態を示す要部の斜視図である。
【図５】本願発明の第二の実施形態である踏み台付きのキャビネットであって、二段目の引出しを引き出した状態で踏み台の垂下片を垂直状態に折畳んだ状態を示す要部の斜視図である。
【図６】図５の踏み台付きのキャビネットのＸ−Ｘ縦断面図である。
【図７】本願発明の第三の異なる実施形態である踏み台付きのキャビネットであって、踏み台と引出しの着脱機構を示す要部の縦断面である。
【図８】上記実施形態である踏み台付きのキャビネットであって、踏み台の被引掛け具と引出しの引掛け具とが解除されて引出しのみが引き出された状態を示す要部の縦断面である。
【図９】上記実施形態である踏み台付きのキャビネットであって、踏み台の被引掛け具と引出しの引掛け具とがロックされて踏み台と引出しとが同時に引き出された状態を示す要部の縦断面である。
【図１０】上記実施形態である踏み台付きのキャビネットであって、踏み台の被引掛け具と引出しの引掛け具とのロック状態を示す要部の縦断面である。
【図１１】従来の洗面化粧台を示す要部の斜視図である。
【符号の説明】
【００２８】
Ａ  踏み台付きのキャビネット
Ｂ  踏み台付きのキャビネット
Ｃ  踏み台付きのキャビネット
１  引出し
２  キャビネット本体
３  側端板
４  水平片
５  垂下片
６  踏み台本体
７  踏み台
８  床面
９  被引掛け具
１０  把手部
１１  引掛け具
１２  着脱機構
１３  Ｌ字型金具
１４  前面板
１５  洗面台
１６  水栓
１７  支点
１８  握り板
【図１】
2005124853.tif 000003
【図２】
2005124853.tif 000004
【図３】
2005124853.tif 000005
【図４】
2005124853.tif 000006
【図５】
2005124853.tif 000007
【図６】
2005124853.tif 000008
【図７】
2005124853.tif 000009
【図８】
2005124853.tif 000010
【図９】
2005124853.tif 000011
【図１０】
2005124853.tif 000012
【図１１】
2005124853.tif 000013